(57)【要約】【課題】端子の電気接続部が、回路基板のスルーホールランドに圧入される際にメッキ削りカスが発生しても、当該メッキ削りカスによる端子間の短絡を確実に防止することができるオンボードコネクタを提供すること。【解決手段】オンボードコネクタのコネクタハウジング４の下面４ｃに開口部をそれぞれ形成する端子収容室６の開口周面８は、端子５との間にメッキ削りカス収容空間７を形成するようにそれぞれ設けられる。メッキ削りカス収容空間７は、電気接続部５ｂのスルーホールランド３への圧入の際に当該スルーホールランド３で電気接続部５ｂのメッキが削られることにより生成されたメッキ削りカス９を収容するために設けられている。このオンボードコネクタは、端子収容室６の開口部を塞ぐようにコネクタハウジング４の下面４ｃを回路基板２の上面および下面の一方２ａに密着させて回路基板２に取り付けられる。【選択図】図４
2007103088.tif 000002
【特許請求の範囲】
【請求項１】
回路基板の上面および下面を貫通するスルーホールランドと電気的に接続するように該回路基板の上面および下面のいずれか一方上に搭載可能なオンボードコネクタであって、
相手方コネクタと電気的に接続するための電気接触部が形成された一端部を有し、更に前記スルーホールランドに圧入されることにより当該スルーホールランドの内周面と電気接触する電気接続部が形成された他端部を有し、且つ少なくとも前記電気接続部がメッキされた複数の端子と、
コネクタハウジングと、
前記コネクタハウジングの下面に開口するように当該コネクタハウジング内にそれぞれ形成された複数の端子収容室と、
を備え、
前記電気接続部が前記コネクタハウジングの前記下面からそれぞれ前記端子収容室の開口部を介して突出されるように、前記端子が前記端子収容室に収容され、
前記開口部それぞれを画成する前記端子収容室の開口周面が、前記端子との間にメッキ削りカス収容空間を形成するようにそれぞれ設けられ、
前記メッキ削りカス収容空間が、前記電気接続部の前記スルーホールランドへの圧入の際に当該スルーホールランドによって前記電気接続部のメッキが削られることにより生成されたメッキ削りカスを収容するために設けられており、そして
前記開口部を塞ぐように前記コネクタハウジングの前記下面を前記回路基板の上面および下面の一方に密着させて前記回路基板に取り付けられることを特徴とするオンボードコネクタ。
【請求項２】
前記開口周面は、前記端子収容室が前記コネクタハウジングの前記下面側に向かって広がって開口するように形成されていることを特徴とする請求項１に記載したオンボードコネクタ。
【請求項３】
前記開口部の周りをそれぞれ囲むように突出する前記コネクタハウジングの前記下面の枠状突部の枠状先端面が全体的に前記回路基板の上面および下面の一方に密着することを特徴とする請求項１または請求項２に記載したオンボードコネクタ。
【発明の詳細な説明】
【技術分野】
【０００１】
本発明は、電気回路基板（以下、単に『回路基板』と記述する。）の導電性金属製のスルーホールランドに電気的に接続するように挿入される導電性金属端子（以下、単に『端子』と記述する。）を収容したコネクタハウジングを備えたオンボードコネクタ（換言すれば、回路基板直付コネクタ）の改良に関する。
【背景技術】
【０００２】
従来のオンボードコネクタとして、回路基板のスルーホールランド（貫通孔）に圧入される端子に、圧入治具が当接する治具受け面を設け、端子がスルーホールランドに圧入されるとき、圧入治具の押圧力を治具受け面で受けるようにしてコネクタハウジングの変形を防止するようにしたオンボードコネクタ（基板用コネクタ）が知られている（例えば、特許文献１参照）。このオンボードコネクタは、回路基板の導電性回路パターンの一部を形成するスルーホールランドに、コネクタハウジングに配設された端子の電気接続部を圧入して電気的に接続するようにしたコネクタである。
【０００３】
一般に端子の外面にはメッキが施されており、電気接続部をスルーホールランドに圧入した際に当該スルーホールランドの入口部分の角によって電気接続部のメッキが削られることによりメッキ削りカス（即ち、メッキが削り取られてメッキ片となったもの）が生成される場合がある。このメッキ削りカスが隣接する端子間に跨るように接触すると、当該メッキ削りカスを介して隣接する端子間に短絡（ショート）が発生する可能性があり、改善する必要がある。
【０００４】
しかし、特許文献１に開示されているオンボードコネクタでは、その端子を回路基板のスルーホールランドに圧入しながら当該回路基板に取り付けられた際に、コネクタハウジングと回路基板との間に端子間に広がる空間を形成してしまうため、上述した端子間の短絡が発生する可能性が高い。
【０００５】
尚、その他の従来のオンボードコネクタとして、端子挿通孔が設けられた底壁部のフード部側（即ち、相手方コネクタ側）の端面に、端子挿通孔に連続する凹部を形成したオンボードコネクタ（基板用コネクタ）が知られている（例えば、特許文献２参照）。このコネクタは、端子を端子挿通孔に挿通する際、端子と端子挿通孔との擦れ合いにより発生する削りくずを凹部に収容して相手方コネクタとの嵌合不具合を防止するように構成されている。
【０００６】
この特許文献２に開示されているオンボードコネクタは、合成樹脂等のコネクタハウジングの削りカスが相手方コネクタとの間に挟まって生じる相手方コネクタとの嵌合不良の解消を図ったものであり、上述した端子間の短絡に関して、教示も示唆もせず、その改善になんら貢献もしない。
【０００７】
【特許文献１】特開２００５−２２２７７１号公報
【特許文献２】特開２００４−４７３２３号公報
【発明の開示】
【発明が解決しようとする課題】
【０００８】
本発明は、上述した事情に鑑みてなされたものであり、その目的は、端子の電気接続部が、回路基板のスルーホールランドに圧入される際にメッキ削りカスが発生しても、当該メッキ削りカスによる端子間の短絡を確実に防止することができるオンボードコネクタを提供することにある。
【課題を解決するための手段】
【０００９】
前述した目的を達成するため、本発明に係るオンボードコネクタは、下記（１）、（２）、および（３）を特徴としている。
（１）  回路基板の上面および下面を貫通するスルーホールランドと電気的に接続するように該回路基板の上面および下面のいずれか一方上に搭載可能なオンボードコネクタであって、
相手方コネクタと電気的に接続するための電気接触部が形成された一端部を有し、更に前記スルーホールランドに圧入されることにより当該スルーホールランドの内周面と電気接触する電気接続部が形成された他端部を有し、且つ少なくとも前記電気接続部がメッキされた複数の端子と、
コネクタハウジングと、
前記コネクタハウジングの下面に開口するように当該コネクタハウジング内にそれぞれ形成された複数の端子収容室と、
を備え、
前記電気接続部が前記コネクタハウジングの前記下面からそれぞれ前記端子収容室の開口部を介して突出されるように、前記端子が前記端子収容室に収容され、
前記開口部それぞれを画成する前記端子収容室の開口周面が、前記端子との間にメッキ削りカス収容空間を形成するようにそれぞれ設けられ、
前記メッキ削りカス収容空間が、前記電気接続部の前記スルーホールランドへの圧入の際に当該スルーホールランドによって前記電気接続部のメッキが削られることにより生成されたメッキ削りカスを収容するために設けられており、そして
前記開口部を塞ぐように前記コネクタハウジングの前記下面を前記回路基板の上面および下面の一方に密着させて前記回路基板に取り付けられること。
（２）  上記（１）の構成のオンボードコネクタにおいて、
前記開口周面は、前記端子収容室が前記コネクタハウジングの前記下面側に向かって広がって開口するように形成されていること。
（３）  上記（１）または（２）の構成のオンボードコネクタにおいて、
前記開口部の周りをそれぞれ囲むように突出する前記コネクタハウジングの前記下面の枠状突部の枠状先端面が全体的に前記回路基板の上面および下面の一方に密着すること。
【００１０】
上記（１）の構成のオンボードコネクタでは、メッキ削りカス収容空間が、電気接続部のスルーホールランドへの圧入の際に当該スルーホールランドによって電気接続部のメッキが削られることにより生成されたメッキ削りカスを収容するために設けられている。また、上記（１）の構成のオンボードコネクタは、端子収容室の開口部を塞ぐようにコネクタハウジングの下面を回路基板の上面および下面の一方に密着させて回路基板に取り付けられる。従って、メッキ削りカスが発生しても、当該メッキ削りカスは、回路基板により塞がれ且つ端子収容室の開口周面により互いに独立するように区画されたメッキ削りカス収容空間内に収容されるので、隣接する端子へ移動することはない。それ故、メッキ削りカスによる端子間の短絡を確実に防止でき、オンボードコネクタの信頼性が高められる。
尚、上記（１）の構成の場合、開口周面によって広がるように端子収容室を形成し、これによりメッキ削りカス収容空間を形成しても、開口周面に囲まれた端子の部分を細くしてメッキ削りカス収容空間を形成しても、あるいはそれら両方の形態を採用してもよいことは言うまでもない。
これに関して、上記（２）の構成のオンボードコネクタによれば、開口周面は、端子収容室がコネクタハウジングの下面側に向かって広がって開口するように形成されているので、端子を細くせずに端子の曲げ強度を維持しつつ、十分な広さのメッキ削りカス収容空間を形成できるので好ましい。尚、上記（２）の構成の場合、開口周面は、後述する本発明の実施形態のように、端子収容室を画成する内周面を段差状に広げ、凹部を形成する面であっても、あるいは端子収容室を画成する内周面を例えばラッパ状に広げた形のもの等であってもよい。
更に、上記（３）の構成のオンボードコネクタでは、開口部の周りをそれぞれ囲むように突出するコネクタハウジングの下面の枠状突部の枠状先端面が全体的に回路基板の上面および下面の一方に密着する。よって、このような枠状突部の枠状先端面の回路基板に対する当接によりコネクタハウジングと回路基板との密着性が向上し、隙間の発生を防止することができる。尚、このような枠状突部は、合成樹脂製のコネクタハウジングを成形する際に容易に形成することができる。
【発明の効果】
【００１１】
本発明によれば、端子の電気接続部が、回路基板のスルーホールランドに圧入される際にメッキ削りカスが発生しても、当該メッキ削りカスによる端子間の短絡を確実に防止できるオンボードコネクタを提供することができる。
【００１２】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１３】
以下、本発明に係る好適な実施形態を図面に基づいて詳細に説明する。
【００１４】
図１は本発明の一実施形態であるオンボードコネクタが回路基板上に搭載された状態を示す縦断面図、図２は複数の端子収容室の開口部が形成された図１のオンボードコネクタのコネクタハウジング下面の拡大斜視図、図３は図１のオンボードコネクタのコネクタハウジングに収容される端子の斜視図、図４は本発明の一実施形態であるオンボードコネクタの要部を示す図１の点線円ＩＶ内に描かれた部分の拡大図、図５は図１のオンボードコネクタの変形例の要部（即ち、回路基板に密着するコネクタハウジング下面の枠状突部の枠状先端面）を図４と同様に拡大して示す拡大図、そして図６は図５の枠状突部が形成された変形例のコネクタハウジング下面の拡大斜視図である。
【００１５】
図１〜図４に示されるように、本発明の一実施形態であるオンボードコネクタ１は、回路基板２の上面および下面を貫通するスルーホールランド３と電気的に接続するように回路基板２の上面および下面のいずれか一方２ａ上に搭載可能なオンボードコネクタ１である。このオンボードコネクタ１は、相手方コネクタ１００の雌型端子（不図示）と電気的に接続するための雄型の電気接触部５ａが形成された一端部を有し、更にスルーホールランド３に圧入されることにより当該スルーホールランド３の内周面と電気接触する電気接続部５ｂが形成された他端部を有し、且つ少なくとも電気接続部５ｂがメッキされた複数の導電性金属製の端子５と、絶縁性合成樹脂製のコネクタハウジング４と、コネクタハウジング４の下面４ｃに開口するように当該コネクタハウジング４内にそれぞれ形成された複数の端子収容室６と、を備える。
【００１６】
電気接続部５ｂはコネクタハウジング４の下面４ｃからそれぞれ端子収容室６の開口部を介して突出されるように、端子５が端子収容室６に収容される。開口部それぞれを画成する端子収容室６の開口周面８は、端子５との間にメッキ削りカス収容空間７を形成するようにそれぞれ設けられる。メッキ削りカス収容空間７は、電気接続部５ｂのスルーホールランド３への圧入の際に当該スルーホールランド３の入口部分の角によって電気接続部５ｂのメッキが削られることにより生成されたメッキ削りカス９を収容するために設けられている。そして、オンボードコネクタ１は、端子収容室６の開口部を塞ぐようにコネクタハウジング４の下面４ｃを回路基板２の上面および下面の一方２ａに密着させて回路基板２に取り付けられる。尚、開口周面８は、端子収容室６がコネクタハウジング４の下面４ｃ側に向かって広がって開口するように形成されている。
【００１７】
このように構成されたオンボードコネクタ１の詳細について以下に説明する。
【００１８】
雌型のコネクタハウジング４は、合成樹脂を射出成形することにより形成され、図１に示されるように、雄型の相手方コネクタ１００と嵌合するための中空のフード部４ｂを有する有底の略角筒状部材であり、底壁４ａには複数の端子収容室６が設けられている。端子収容室６には端子５がそれぞれ挿入および保持される。
【００１９】
図２に示されるように、コネクタハウジング４の底壁４ａには、開口周面８を含む内周面により画成された同一形状の複数の端子収容室６が格子状に配列されている。従って、コネクタハウジング４の底壁４ａは、開口周面８により画成された開口部を通ってコネクタハウジング４の下面４ｃから突出する複数の端子５を互いに独立させて区画する。
【００２０】
図３に示されるように、端子５は、所謂、プレスフィット端子であり、断面扁平な角棒状に形成されている。端子５は、全体的にメッキされたものであってもよい。端子５は、その一端部に雄型の電気接触部５ａを有し、且つ他端部に電気接続部５ｂを有する。この電気接続部５ｂは、幅方向に撓み変形可能なように２つの板バネ片部の両端をそれぞれ接続して間に中空部を設けたものからなり、スルーホールランド３に圧入されると弾性復元力によりスルーホールランド３の内周面に接触して電気的に接続する。端子５は、更に、電気接触部５ａと電気接続部５ｂとの間に位置する端子本体の幅方向両側面に複数の係止突起５ｃを有する。これら係止突起５ｃは、端子５が端子収容室６に収容された際に、端子収容室６を画成するコネクタハウジング４の内周面に食い込むように引っ掛かり、これにより端子収容室６内に端子５が固定される。
【００２１】
オンボードコネクタ１は、図４に示されるように、コネクタハウジング４の端子収容室６に挿入された複数の端子５の電気接続部５ｂが、回路基板２のスルーホールランド３に圧入されるとともに、コネクタハウジング４の下面４ｃが回路基板２の表面に当接するように、回路基板２上に搭載される。この際、複数の開口周面８によってそれぞれ画成された端子収容室６の開口部（換言すれば、メッキ削りカス収容空間７）が回路基板２で蓋をされるように閉じられる。
【００２２】
以上、説明したように、上記オンボードコネクタ１では、メッキ削りカス収容空間７が、電気接続部５ｂのスルーホールランド３への圧入の際に当該スルーホールランド３によって電気接続部５ｂのメッキが削られることにより生成されたメッキ削りカス９を収容するために設けられている。また、上記オンボードコネクタ１は、端子収容室６の開口部を塞ぐようにコネクタハウジング４の下面４ｃを回路基板２の上面および下面の一方２ａに密着させて回路基板２に取り付けられる。
【００２３】
従って、メッキ削りカス９が発生しても、当該メッキ削りカス９は、回路基板２により塞がれ且つ端子収容室６の開口周面８により互いに独立するように区画されたメッキ削りカス収容空間７内に収容されるので、隣接する端子５へ移動することはない。それ故、オンボードコネクタ１は、メッキ削りカス９による端子５間の短絡を確実に防止できる信頼性の高いものとなっている。
【００２４】
また、オンボードコネクタ１によれば、開口周面８は、端子収容室６がコネクタハウジング４の下面４ｃ側に向かって広がって開口するように形成されているので、十分な広さのメッキ削りカス収容空間７を形成できるので好ましい。
【００２５】
（変形例）
次に、オンボードコネクタ１の変形例を図５および図６を参照しながら説明する。尚、この変形例は、コネクタハウジングの一部形状が異なるだけであり、その他の部分については、上述したオンボードコネクタ１と同様であるので、同一部分には同一符号または相当符号を付して説明を簡略化あるいは省略する。
【００２６】
この変形例では、図５および図６に示されるように、開口部の周りをそれぞれ囲むように突出するコネクタハウジング４の下面４ｃの枠状突部４ｄの枠状先端面４ｃｓが全体的に回路基板２の上面および下面の一方２ａに密着する形態となっている。
【００２７】
従って、このような枠状突部４ｄの枠状先端面４ｃｓの回路基板２に対する当接によりコネクタハウジング４と回路基板２との密着性が向上し、隙間の発生を防止することができる。尚、このような枠状突部４ｄは、合成樹脂製のコネクタハウジング４を成形する際に容易に形成することができる。その他の作用や効果については、図１〜図４に関する説明から容易に類推可能であるため説明を省略する。
【００２８】
尚、本発明は、前述した実施形態やその変形例に限定されるものではなく、適宜、変形、改良、等が可能である。その他、前述した実施形態やその変形例における各構成要素の材質、形状、寸法、数値、形態、数、配置箇所、等は本発明を達成できるものであれば任意であり、限定されない。
【００２９】
上述した実施形態では、開口周面８によって広がるように端子収容室６を形成し、これによりメッキ削りカス収容空間７を形成しているが、その代わりに、例えば、開口周面８に囲まれた端子５の部分を細くしてメッキ削りカス収容空間７を形成してもよい。
【００３０】
また、上述した実施形態では、開口周面８が、端子収容室６を画成する内周面を段差状に広げ、凹部を形成する面であったが、その代わりに、例えば、端子収容室６を画成する内周面を例えばラッパ状に広げた形のもの等としてもよい。
【図面の簡単な説明】
【００３１】
【図１】本発明の一実施形態であるオンボードコネクタが回路基板上に搭載された状態を示す縦断面図である。
【図２】複数の端子収容室の開口部が形成された図１のオンボードコネクタのコネクタハウジング下面の拡大斜視図である。
【図３】図１のオンボードコネクタのコネクタハウジングに収容される端子の斜視図である。
【図４】本発明の一実施形態であるオンボードコネクタの要部を示す図１の点線円ＩＶ内に描かれた部分の拡大図である。
【図５】図１のオンボードコネクタの変形例の要部（即ち、回路基板に密着するコネクタハウジング下面の枠状突部の枠状先端面）を図４と同様に拡大して示す拡大図である。
【図６】図５の枠状突部が形成された変形例のコネクタハウジング下面の拡大斜視図である。
【符号の説明】
【００３２】
１     オンボードコネクタ
２     回路基板
２ａ    回路基板の上面および下面の一方
３     スルーホールランド
４     コネクタハウジング
４ｃ    下面
４ｃｓ  枠状先端面
４ｄ   枠状突部
５     端子
５ａ   電気接触部
５ｂ   電気接続部
６     端子収容室
７      メッキ削りカス収容空間
８      開口周面
９     メッキ削りカス
【図１】
2007103088.tif 000003
【図２】
2007103088.tif 000004
【図３】
2007103088.tif 000005
【図４】
2007103088.tif 000006
【図５】
2007103088.tif 000007
【図６】
2007103088.tif 000008